【手続補正書】
【提出日】平成27年6月18日(2015.6.18)
【手続補正１】
【補正対象書類名】特許請求の範囲
【補正対象項目名】全文
【補正方法】変更
【補正の内容】
【特許請求の範囲】
【請求項１】
サービス提供装置を検索する通信装置であって、
サービス提供装置を検索する指示をユーザから受けた場合に、複数のアクセスポイントに接続して、当該複数のアクセスポイントそれぞれを介してサービス提供装置を検索する検索手段と、
前記検索手段によるサービス提供装置の検索結果を表示する表示手段と
を備えることを特徴とする通信装置。
【請求項２】
サービス提供装置を検索するために使用する複数のアクセスポイントを示すアクセスポイントリストを作成する作成手段を更に備え、
前記検索手段は、前記アクセスポイントリストに基づいて、複数のアクセスポイントに接続してサービス提供装置を検索することを特徴とする請求項１に記載の通信装置。
【請求項３】
サービス提供装置を検索する指示をユーザから受けた場合に、前記作成手段は、周囲のアクセスポイントを検索することで前記アクセスポイントリストを作成することを特徴とする請求項２に記載の通信装置。
【請求項４】
前記複数のアクセスポイントは、第１のアクセスポイントと第２のアクセスポイントを少なくとも含み、
前記検索手段は、前記第１のアクセスポイントに接続し、前記第１のアクセスポイントを介してサービス提供装置を検索し、
前記第１のアクセスポイントを介したサービス提供装置の検索が完了した場合に、前記検索手段は、接続先のアクセスポイントを前記第１のアクセスポイントから前記第２のアクセスポイントに切り替え、前記第２のアクセスポイントを介してサービス提供装置を検索することを特徴とする請求項１乃至３のいずれか１項に記載の通信装置。
【請求項５】
前記検索手段によるサービス提供装置の検索が完了した場合に、前記通信装置は、サービス提供装置の検索を開始する前に接続していたアクセスポイントに接続することを特徴とする請求項１乃至４のいずれか１項に記載の通信装置。
【請求項６】
前記検索結果から特定のサービス提供装置がユーザに選択された場合に、前記通信装置は、前記通信装置が接続しているアクセスポイントを、前記特定のサービス提供装置と通信するためのアクセスポイントに切り替えることを特徴とする請求項１乃至５のいずれか１項に記載の通信装置。
【請求項７】
前記検索結果から特定のサービス提供装置がユーザに選択された場合に、当該特定のサービス提供装置と通信するためのアクセスポイントと、前記通信装置が接続中のアクセスポイントが一致するか否かを判定する判定手段を更に備え、
前記特定のサービス提供装置と通信するためのアクセスポイントと、前記通信装置が接続中のアクセスポイントが一致しないと前記判定手段によって判定された場合に、前記通信装置は、前記通信装置が接続しているアクセスポイントを、前記特定のサービス提供装置と通信するためのアクセスポイントに切り替えることを特徴とする請求項１乃至５のいずれか１項に記載の通信装置。
【請求項８】
通信装置の制御方法であって、
サービス提供装置を検索する指示をユーザから受けた場合に、複数のアクセスポイントに接続して、当該複数のアクセスポイントそれぞれを介してサービス提供装置を検索するように前記通信装置を制御する検索ステップと、
サービス提供装置の検索結果を表示する表示ステップと
を有することを特徴とする通信装置の制御方法。
【請求項９】
サービス提供装置を検索するために使用する複数のアクセスポイントを示すアクセスポイントリストを作成する作成ステップを更に有し、
前記検索ステップにおいて、前記アクセスポイントリストに基づいて、複数のアクセスポイントに接続してサービス提供装置が検索されることを特徴とする請求項８に記載の通信装置の制御方法。
【請求項１０】
サービス提供装置を検索する指示をユーザから受けた場合に、前記作成ステップにおいて、周囲のアクセスポイントを検索することで前記アクセスポイントリストが作成されることを特徴とする請求項９に記載の通信装置の制御方法。
【請求項１１】
前記複数のアクセスポイントは、第１のアクセスポイントと第２のアクセスポイントを少なくとも含み、
前記検索ステップにおいて、
前記第１のアクセスポイントに接続し、前記第１のアクセスポイントを介してサービス提供装置を検索するように前記通信装置が制御され、
前記第１のアクセスポイントを介したサービス提供装置の検索が完了した場合に、接続先のアクセスポイントを前記第１のアクセスポイントから前記第２のアクセスポイントに切り替え、前記第２のアクセスポイントを介してサービス提供装置を検索するように前記通信装置が制御されることを特徴とする請求項８乃至１０のいずれか１項に記載の通信装置の制御方法。
【請求項１２】
前記検索ステップによるサービス提供装置の検索が完了した場合に、サービス提供装置の検索を開始する前に接続していたアクセスポイントに接続するように前記通信装置が制御されることを特徴とする請求項８乃至１１のいずれか１項に記載の通信装置の制御方法。
【請求項１３】
前記検索結果から特定のサービス提供装置がユーザに選択された場合に、前記通信装置が接続しているアクセスポイントを、前記特定のサービス提供装置と通信するためのアクセスポイントに切り替えるように前記通信装置が制御されることを特徴とする請求項８乃至１２のいずれか１項に記載の通信装置の制御方法。
【請求項１４】
前記検索結果から特定のサービス提供装置がユーザに選択された場合に、当該特定のサービス提供装置と通信するためのアクセスポイントと、前記通信装置が接続中のアクセスポイントが一致するか否かを判定する判定ステップを更に有し、
前記特定のサービス提供装置と通信するためのアクセスポイントと、前記通信装置が接続中のアクセスポイントが一致しないと前記判定ステップで判定された場合に、前記通信装置が接続しているアクセスポイントを、前記特定のサービス提供装置と通信するためのアクセスポイントに切り替えるように前記通信装置が制御されることを特徴とする請求項８乃至１２のいずれか１項に記載の通信装置の制御方法。
【請求項１５】
請求項８乃至１４のいずれか１項に記載の通信装置の制御方法をコンピュータに実行させるためのプログラム。
【手続補正２】
【補正対象書類名】明細書
【補正対象項目名】発明の名称
【補正方法】変更
【補正の内容】
【発明の名称】通信装置およびその制御方法、並びにプログラム
【手続補正３】
【補正対象書類名】明細書
【補正対象項目名】０００８
【補正方法】変更
【補正の内容】
【０００８】
このような問題を解決するために、ユーザが手動にてサービス検索毎にユーザ端末が接続するネットワークを切り替え、すべてのネットワーク上のサービスを検索することも考えられる。しかし、この方法ではユーザの煩雑な作業が生じ、非常に面倒である。
【手続補正４】
【補正対象書類名】明細書
【補正対象項目名】０００９
【補正方法】変更
【補正の内容】
【０００９】
上記課題を解決するために本願発明は以下の構成を有する。すなわち、サービス提供装置を検索する通信装置であって、サービス提供装置を検索する指示をユーザから受けた場合に、複数のアクセスポイントに接続して、当該複数のアクセスポイントそれぞれを介してサービス提供装置を検索する検索手段と、前記検索手段によるサービス提供装置の検索結果を表示する表示手段とを備える。